(57)【要約】【課題】  第１電源電圧が遮断され、第２電源電圧を用いて第１電源電圧の遮断を示す情報を送信した後に、第２電源電圧の使用を停止する。【解決手段】  通信装置は、外部から供給される第１電源電圧と、外部から供給される第２電源電圧と、制御信号とを受け、制御信号が第１レベルの場合に、第１電源電圧および第２電源電圧の一方を第３電源電圧として出力し、制御信号が第１レベルと異なる第２レベルの場合に、第３電源電圧の出力を禁止するスイッチ部と、第３電源電圧を受けて、外部の通信装置に情報を送信する送信部と、第１電源電圧の遮断を検知する検知部と、検知部による検知に基づいて、送信部に、第１電源電圧の遮断を示す情報を外部の通信装置に送信することを指示する通知部と、送信部が、第１電源電圧の遮断を示す情報を外部の通信装置に送信した後に、スイッチ部に出力する前記制御信号を第１レベルから第２レベルに変化するスイッチ制御部とを有する。【選択図】  図１
2014183374.tif 000002
【特許請求の範囲】
【請求項１】
外部から供給される第１電源電圧と、外部から供給される第２電源電圧と、制御信号とを受け、前記制御信号が第１レベルの場合に、前記第１電源電圧および前記第２電源電圧の一方を第３電源電圧として出力し、前記制御信号が第１レベルと異なる第２レベルの場合に、前記第３電源電圧の出力を禁止するスイッチ部と、
前記第３電源電圧を受けて、外部の通信装置に情報を送信する送信部と、
前記第１電源電圧の遮断を検知する検知部と、
前記検知部による検知に基づいて、前記送信部に、前記第１電源電圧の遮断を示す情報を前記外部の通信装置に送信することを指示する通知部と、
前記送信部が、前記第１電源電圧の遮断を示す情報を前記外部の通信装置に送信した後に、前記スイッチ部に出力する前記制御信号を前記第１レベルから前記第２レベルに変化するスイッチ制御部と
を備えることを特徴とする通信装置。
【請求項２】
請求項１に記載の通信装置において、
前記スイッチ制御部は、前記検知部による検知から所定の時間を計時するタイマを含み、前記タイマによる計時後に、前記スイッチ部に出力する前記制御信号を前記第１レベルから前記第２レベルに変化し、
前記所定の時間は、前記第１電源電圧の遮断を示す情報を前記外部の通信装置に送信可能な時間より長い
ことを特徴とする通信装置。
【請求項３】
請求項１に記載の通信装置において、
前記スイッチ制御部は、前記通知部から前記電源電圧の遮断を示す情報の出力回数を計数するカウンタを含み、前記カウンタのカウント値が所定の回数に達した後に、前記スイッチ部に出力する前記制御信号のレベルを前記第１レベルから前記第２レベルに変化する
ことを特徴とする通信装置。
【請求項４】
請求項１から請求項３のいずれか１項に記載の通信装置において、
前記検知部は、前記第１電源電圧および前記第２電源電圧の少なくとも一方の遮断を検知し、
前記通知部は、前記検知部による検知に基づいて、前記送信部に、前記第１電源電圧および前記第２電源電圧の少なくとも一方の遮断を示す情報を前記外部の通信装置に送信することを指示する
ことを特徴とする通信装置。
【請求項５】
請求項１から請求項４のいずれか１項に記載の通信装置において、
前記通信装置は、公衆交換電話網を介して情報を送受信する機能を有し、
前記第２電源電圧は、前記公衆交換電話網の電源線から供給される
ことを特徴とする通信装置。
【請求項６】
外部から供給される第１電源電圧と、外部から供給される第２電源電圧と、制御信号とを受け、前記制御信号が第１レベルの場合に、前記第１電源電圧および前記第２電源電圧の一方を第３電源電圧として出力し、前記制御信号が第１レベルと異なる第２レベルの場合に、前記第３電源電圧の出力を禁止し、
前記第３電源電圧を受けて、外部の通信装置に情報を送信し、
前記第１電源電圧の遮断を検知し、
前記検知部による検知に基づいて、前記送信部に、前記第１電源電圧の遮断を示す情報を前記外部の通信装置に送信することを指示し、
前記送信部が、前記第１電源電圧の遮断を示す情報を前記外部の通信装置に送信した後に、前記スイッチ部に出力する前記制御信号を前記第１レベルから前記第２レベルに変化する
ことを特徴とする通信装置の制御方法。
【発明の詳細な説明】
【技術分野】
【０００１】
本発明は、通信装置および通信装置の制御方法に関する。
【背景技術】
【０００２】
近時、インターネットなどのネットワークシステムでは、局側の端局装置と複数の加入者側の終端装置との間の情報の授受は、光信号により行われる。例えば、加入者側の終端装置は、電源の遮断の検出に応答して、コンデンサに蓄積された電荷を利用して、Ｄｙｉｎｇ  Ｇａｓｐなどの電源の遮断を示す通知を局側の端局装置に送信する。端局装置は、Ｄｙｉｎｇ  Ｇａｓｐなどの通知を受けることにより、終端装置の電源の遮断と終端装置の故障とを区別する（例えば、特許文献１参照）。
【０００３】
また、親機と子機とを有するコードレス電話機において、停電などにより親機へのＡＣ電源の供給が遮断された場合に、ＡＣ電源に替わって電話回線で使用する電源を予備の電源として親機に供給することで、親機を介して子機からの通話が可能になる（例えば、特許文献２参照）。
【先行技術文献】
【特許文献】
【０００４】
【特許文献１】特開２０１０−２５２１９２号公報
【特許文献２】特開２０００−１１５３５６号公報
【発明の概要】
【発明が解決しようとする課題】
【０００５】
例えば、予備の電源の終端装置への供給が、Ｄｙｉｎｇ  Ｇａｓｐなどの通知後に継続される場合、予備の電源の供給能力は、終端装置で消費される電力により低下するおそれがある。このため、加入者側の終端装置は、電源の遮断時にＤｙｉｎｇ  Ｇａｓｐなどを局側の端局装置に通知した後に、予備の電源を受けない方がよい。
【０００６】
本件開示の通信装置および通信装置の制御方法は、第１電源電圧が遮断され、第２電源電圧を用いて第１電源電圧の遮断を示す情報を送信した後に、第２電源電圧の使用を停止することを目的とする。
【課題を解決するための手段】
【０００７】
一つの観点によれば、通信装置は、外部から供給される第１電源電圧と、外部から供給される第２電源電圧と、制御信号とを受け、制御信号が第１レベルの場合に、第１電源電圧および第２電源電圧の一方を第３電源電圧として出力し、制御信号が第１レベルと異なる第２レベルの場合に、第３電源電圧の出力を禁止するスイッチ部と、第３電源電圧を受けて、外部の通信装置に情報を送信する送信部と、第１電源電圧の遮断を検知する検知部と、検知部による検知に基づいて、送信部に、第１電源電圧の遮断を示す情報を外部の通信装置に送信することを指示する通知部と、送信部が、第１電源電圧の遮断を示す情報を外部の通信装置に送信した後に、スイッチ部に出力する制御信号を第１レベルから第２レベルに変化するスイッチ制御部とを有する。
【０００８】
別の観点によれば、通信装置の制御方法は、外部から供給される第１電源電圧と、外部から供給される第２電源電圧と、制御信号とを受け、制御信号が第１レベルの場合に、第１電源電圧および第２電源電圧の一方を第３電源電圧として出力し、制御信号が第１レベルと異なる第２レベルの場合に、第３電源電圧の出力を禁止し、第３電源電圧を受けて、外部の通信装置に情報を送信し、第１電源電圧の遮断を検知し、検知部による検知に基づいて、送信部に、第１電源電圧の遮断を示す情報を外部の通信装置に送信することを指示し、送信部が、第１電源電圧の遮断を示す情報を外部の通信装置に送信した後に、スイッチ部に出力する制御信号を第１レベルから第２レベルに変化する。
【発明の効果】
【０００９】
本件開示の通信装置および通信装置の制御方法は、第１電源電圧が遮断され、第２電源電圧を用いて第１電源電圧の遮断を示す情報を送信した後に、第２電源電圧の使用を停止できる。
【図面の簡単な説明】
【００１０】
【図１】通信装置および通信装置の制御方法の一実施形態を示す図である。
【図２】図１に示したスイッチ回路およびＰＯＮＬＳＩの例を示す図である。
【図３】図２に示した通信装置の動作の例を示す図である。
【図４】通信装置および通信装置の制御方法の別の実施形態におけるスイッチ回路およびＰＯＮＬＳＩの例を示す図である。
【図５】図５に示した通信装置の動作の例を示す図である。
【図６】通信装置および通信装置の制御方法の別の実施形態におけるスイッチ回路およびＰＯＮＬＳＩの例を示す図である。
【図７】図６に示した通信装置の動作の例を示す図である。
【図８】通信装置および通信装置の制御方法の別の例を示す図である。
【発明を実施するための形態】
【００１１】
以下、図面を用いて実施形態を説明する。電圧が供給される電圧線は、電圧名と同じ符号を使用する。
【００１２】
図１は、通信装置および通信装置の制御方法の一実施形態を示す。図１において、通信装置１００は、例えば、ＰＯＮ（Passive Optical Network）などのブロードバンドインターネットサービスの加入者宅に設置される終端装置であり、ＯＮＵ（Optical Network Unit）とも称される。例えば、通信装置１００は、プリント基板上に搭載された複数の電子部品を有している。通信装置１００は、例えば、商用電源である交流の外部電源２００に接続されるＡＣ（Alternating Current）アダプタ２１０から直流の電源電圧ＤＣ１２（例えば、１２Ｖ）を受ける。また、通信装置１００は、例えば、公衆交換電話網ＰＳＴＮ（Public Switched Telephone Network）で使用される電話回線に接続される電源線３００を介して直流の電源電圧ＤＣ４８（例えば、４８Ｖ）を受ける。以下の説明では、電源電圧は、単に電圧とも称される場合もある。
【００１３】
また、通信装置１００は、例えば、ブロードバンドインターネットサービスの加入者が使用する加入者端末４００にＬＡＮ（Local Area Network）ケーブルＬＣを介して接続されている。例えば、加入者端末４００は、ブロードバンドインターネットサービスに接続可能なパーソナルコンピュータやルータなどのユーザ側の端末装置である。
【００１４】
通信装置１００は、例えば、ブロードバンドインターネットサービスの局側の端局装置５００に光ファイバ（ＯＰＴ）を介して接続されている。例えば、端局装置５００は、ＰＯＮなどのブロードバンドインターネットサービスの局側に設置されるＯＬＴ（Optical Line Terminal）である。例えば、端局装置５００は、１０Ｇｂｐｓ（毎秒１０ギガビット）の通信速度を有する１０ＧＥ−ＰＯＮ（Gigabit Ethernet-Passive Optical Network）に対応する回路を有する。また、例えば、端局装置５００は、１Ｇｂｐｓ（毎秒１ギガビット）の通信速度を有するＧＥ−ＰＯＮに対応する回路を有する。なお、端局装置５００と通信装置１００とが１対１で接続される光通信システムは、Ｐ２Ｐ（Point to Point）と称される。また、端局装置５００と複数の通信装置１００とが光スプリッタを介して接続される光通信システムは、Ｐ２ＭＰ（Point to Multipoint）と称される。なお、端局装置５００は、外部の通信装置の一例である。
【００１５】
通信装置１００は、インターフェース部１１０（以下、Ｉ／Ｆ１１０と称する）と、第１電源回路１２０と、スイッチ回路１３０と、第２電源回路１４０とを有する。また、通信装置１００は、端末制御部１５０と、通信制御部１６０と、光送受信部１８０とを有する。以下の説明では、端末制御部１５０は、ＬＡＮ／ＰＨＹ（Local Area Network physical layer）１５０とも称され、通信制御部１６０は、ＰＯＮＬＳＩ（Passive Optical Network Large Scale Integration）１６０とも称される。
【００１６】
例えば、Ｉ／Ｆ１１０は、公衆交換電話網ＰＳＴＮに接続されるケーブル（いわゆる電話線）を接続するコネクタである。第１電源回路１２０は、公衆交換電話網ＰＳＴＮから供給される直流の電源電圧ＤＣ４８を降圧して、ＡＣアダプタ２１０から出力される電圧ＤＣ１２と同じ直流の電圧ＤＣ１２Ｒを生成する。第１電源回路１２０は、生成した電圧ＤＣ１２Ｒを冗長電源（予備の電源）としてスイッチ回路１３０に供給する。スイッチ回路１３０は、ＰＯＮＬＳＩ１６０からの制御信号ＣＮＴＬに基づいて、電圧ＤＣ１２、ＤＣ１２Ｒのいずれかを、電圧ＤＣ１２ｂとして第２電源回路１４０の入力に供給する。なお、電圧ＤＣ１２は、第１電源電圧の一例であり、電圧ＤＣ１２Ｒは、第２電源電圧の一例であり、電圧ＤＣ１２ｂは、第３電源電圧の一例である。また、スイッチ回路１３０は、スイッチ部の一例である。なお、スイッチ回路１３０の例は、図２に示す。
【００１７】
第２電源回路１４０は、スイッチ回路１３０から供給される電圧ＤＣ１２ｂを用いて、複数種の直流の電源電圧を生成し、生成した複数種の電源電圧をＬＡＮ／ＰＨＹ１５０、ＰＯＮＬＳＩ１６０および光送受信部１８０などに供給する。すなわち、第２電源回路１４０は、スイッチ回路１３０を介して供給される電圧ＤＣ１２または電圧ＤＣ１２Ｒを通信装置１００の各部で使用する電源電圧に変換する。
【００１８】
例えば、ＬＡＮ／ＰＨＹ１５０は、加入者端末４００を通信装置１００にＬＡＮケーブルを介して接続するためのインターフェースを提供する機能を有する半導体チップを有する。例えば、ＰＯＮＬＳＩ１６０は、ＰＯＮ規格に従った通信を制御する半導体チップを有する制御部である。なお、ＰＯＮＬＳＩ１６０の例は、図２に示す。
【００１９】
例えば、光送受信部１８０は、１０ＧＥ−ＰＯＮに対応する波長帯域の光信号を電気信号に変換する光モジュールと、電気信号を所定の波長帯域の光信号に変換する光モジュールとを有する。例えば、光送受信部１８０は、波長帯域が異なる光信号を、各波長帯域に応じて合波または分波することを示す波長分割多重ＷＤＭ（Wavelength Division Multiplexing）の機能を有する。例えば、光送受信部１８０は、端局装置５００から受信する光信号に含まれるデータを電気信号のデータに変換してＰＯＮＬＳＩ１６０に出力する。例えば、光送受信部１８０は、ＰＯＮＬＳＩ１６０から受信する電気信号のデータを所定の波長帯域の光信号に変換し、変換した光信号を端局装置５００に送信する。なお、光送受信部１８０は、外部の通信装置に情報を送信する送信部の一例である。
【００２０】
また、例えば、光送受信部１８０は、ＰＯＮＬＳＩ１６０から出力される電源断警報ＤＧ（Dying Gasp）を示す電気信号を光信号に変換し、変換した光信号を端局装置５００側に送信する。電源断警報ＤＧは、通信装置１００に供給される電源が遮断された場合、通信装置１００から端局装置５００に通知される、電源電圧の遮断を示す信号である。通信装置１００が端局装置５００に電源断警報ＤＧを送信することによって、端局装置５００は、通信装置１００の電源の遮断と、光ファイバＯＰＴの断線や通信装置１００の故障などによる通信の遮断との判別が可能になる。それゆえに、電源断警報ＤＧは、光通信システムの保守的観点から重要な役割を果たしている。
【００２１】
図２は、図１に示したスイッチ回路１３０およびＰＯＮＬＳＩ１６０の例を示す。
【００２２】
スイッチ回路１３０は、ＯＲ回路１３２と、ＡＮＤ回路１３４とを有する。ＯＲ回路１３２は、ＡＣアダプタ２１０からの電圧ＤＣ１２または第１電源回路１２０からの電圧ＤＣ１２Ｒを、ＡＮＤ回路１３４に供給する。例えば、ＯＲ回路１３２は、電圧ＤＣ１２を受けている間に電圧線ＤＣ１２、ＤＣ１２ａを互いに接続して、電圧線ＤＣ１２Ｒ、ＤＣ１２ａの接続を遮断し、電圧ＤＣ１２が遮断されている間に電圧線ＤＣ１２Ｒ、ＤＣ１２ａを互いに接続するスイッチを有する。
【００２３】
ＡＮＤ回路１３４は、２入力１出力の回路であり、一方の入力はＯＲ回路１３２の出力に接続され、他方の入力は制御信号ＣＮＴＬが伝達される制御信号線に接続されている。そして、ＡＮＤ回路１３４は、制御信号ＣＮＴＬがＰＯＮＬＳＩ１６０への電源の供給を指示する論理レベル（例えば、ハイレベル）の場合に、ＯＲ回路１３２から受ける電圧ＤＣ１２ａを電圧ＤＣ１２ｂとして第２電源回路１４０に出力する。この場合、ＡＣアダプタ２１０からの電圧ＤＣ１２または第１電源回路１２０からの電圧ＤＣ１２Ｒが第２電源回路１４０に出力される。一方、ＡＮＤ回路１３４は、制御信号ＣＮＴＬがＰＯＮＬＳＩ１６０への電源の遮断を指示する論理レベル（例えば、ロウレベル）の場合に、ＯＲ回路１３２から受ける電圧ＤＣ１２ａの第２電源回路１４０への出力を禁止する。
【００２４】
第２電源回路１４０は、ＡＮＤ回路１３４からの電圧ＤＣ１２ｂを、ＰＯＮＬＳＩ１６０を動作させる複数種の電源電圧に変換し、変換した電源電圧を電源部１６２と、ＬＡＮ／ＰＨＹ１５０と、光送受信部１８０とにそれぞれ供給する。
【００２５】
ＰＯＮＬＳＩ１６０は、電源部１６２と、検知部１６４と、通知部１６６と、スイッチ制御部１６８と、信号送受信部１７０とを有する。
【００２６】
電源部１６２は、第２電源回路１４０からＰＯＮＬＳＩ１６０の動作に必要な電源電圧を受け、受けた電源電圧をＰＯＮＬＳＩ１６０の各部に供給する。例えば、電源部１６２は、受けた電源電圧を検知部１６４と、通知部１６６と、スイッチ制御部１６８と、信号送受信部１７０とに供給する。
【００２７】
検知部１６４は、ＡＣアダプタ２１０から受ける電源電圧ＤＣ１２を監視し、電源電圧ＤＣ１２が所定の電圧以下になった場合に、ＡＣアダプタ２１０からの電源電圧ＤＣ１２が遮断されたことを示すオフ信号ＤＣＯＦＦを通知部１６６とスイッチ制御部１６８へ出力する。通知部１６６は、オフ信号ＤＣＯＦＦを受けたことに応答して、電源断警報ＤＧを送信する指示を示す警報信号ＤＧＳを信号送受信部１７０に出力する。例えば、警報信号ＤＧＳは、パルス状の信号である。
【００２８】
例えば、スイッチ制御部１６８は、タイマＴＭを有している。スイッチ制御部１６８は、検知部１６４からのオフ信号ＤＣＯＦＦを受けたことに応答してタイマＴＭを起動させる。スイッチ制御部１６８は、オフ信号ＤＣＯＦＦを受ける前、制御信号ＣＮＴＬをＰＯＮＬＳＩ１６０への電源の供給を指示する論理レベル（例えば、ハイレベル）に設定する。スイッチ制御部１６８は、タイマＴＭにより計時した時間が所定時間に達した場合に、制御信号ＣＮＴＬを、ＰＯＮＬＳＩ１６０への電源の供給を遮断する論理レベル（例えば、ロウレベル）に変更する。例えば、タイマＴＭが計時する所定時間は、光送受信部１８０が電源断警報ＤＧを端局装置５００に送信するために要する時間に相当する期間である。すなわち、スイッチ制御部１６８は、電源断警報ＤＧが光送受信部１８０を介して端局装置５００に送信された後に、スイッチ回路１３０に電圧ＤＣ１２ｂの第２電源回路１４０への出力を停止するように指示する。信号送受信部１７０は、通知部１６６から出力された電気信号を光送受信部１８０またはＬＡＮ／ＰＨＹ１５０に送信する。また、信号送受信部１７０は、光送受信部１８０またはＬＡＮ／ＰＨＹ１５０からの電気信号を受信する。なお、信号送受信部１７０は、外部の通信装置に情報を送信する送信部の一例である。
【００２９】
図３は、図２に示した通信装置１００の動作の例を示す。
【００３０】
例えば、図３（１）は、スイッチ回路１３０のＯＲ回路１３２が、ＡＣアダプタ２１０からの電圧ＤＣ１２および第１電源回路１２０からの電圧ＤＣ１２Ｒの両方を受ける場合（ＯＮ）の例を示している（図３（ａ）、（ｂ））。この場合、ＯＲ回路１３２は、電圧ＤＣ１２を電圧ＤＣ１２ａとしてＡＮＤ回路１３４に出力する（図３（ｃ））。図２に示したスイッチ制御部１６８は、検知部１６４が電圧ＤＣ１２を受けている間、ハイレベルＨの制御信号ＣＮＴＬを出力する（図３（ｄ））。ＡＮＤ回路１３４は、ハイレベルＨの制御信号ＣＮＴＬに基づいて、電圧ＤＣ１２ａを電圧ＤＣ１２ｂとして出力する（図３（ｅ））。図２に示したＰＯＮＬＳＩ１６０と、ＬＡＮ／ＰＨＹ１５０と、光送受信部１８０とは、電圧ＤＣ１２ｂに基づいて電源部１６２で生成される電源電圧に応じて動作する。
【００３１】
図３（２）は、電圧ＤＣ１２Ｒの供給が継続する状態で、電圧ＤＣ１２の供給が遮断される例を示している。電圧ＤＣ１２の供給が遮断された場合、ＯＲ回路１３２は、電圧ＤＣ１２に代えて電圧ＤＣ１２Ｒを電圧ＤＣ１２ａとしてＡＮＤ回路１３４に出力する（図３（ｆ）、（ｇ））。これにより、ＡＮＤ回路１３４は、電圧ＤＣ１２の遮断にかかわらず、電圧ＤＣ１２ｂの出力を維持できる（図３（ｈ））。
【００３２】
検知部１６４による電圧ＤＣ１２の遮断の検知に基づいて、タイマＴＭが起動される（図３（ｉ））。タイマＴＭに示した矩形は、タイマＴＭが起動している期間（計時期間）を示している。また、検知部１６４による電圧ＤＣ１２の遮断の検知に基づいて、信号送受信部１７０は、電源断警報ＤＧを端局装置５００に送信する（図３（ｊ））。例えば、信号送受信部１７０は、通知部１６６からの電源断警報ＤＧの送信指示に応答して、電源断警報ＤＧを端局装置５００に３回送信する。なお、電源断警報ＤＧの送信回数は、３回に限定されない。
【００３３】
例えば、タイマＴＭは、信号送受信部１７０が３回の電源断警報ＤＧを送信するために要する時間に相当する期間を計時する。スイッチ制御部１６８は、タイマＴＭの計時後、制御信号ＣＮＴＬをハイレベルＨからロウレベルＬに切り替える（図３（ｋ））。ＡＮＤ回路１３４は、制御信号ＣＮＴＬのロウレベルＬへの変化に応答して、電圧ＤＣ１２ｂの出力を停止する（図３（ｌ））。
【００３４】
第２電源回路１４０は、電圧ＤＣ１２ｂの出力の停止に基づいて、電源電圧の生成を停止する。これにより、ＰＯＮＬＳＩ１６０と、ＬＡＮ／ＰＨＹ１５０と、光送受信部１８０との動作が停止する。すなわち、ＰＯＮＬＳＩ１６０は、図１に示したＡＣアダプタ２１０からの電圧ＤＣ１２が遮断された後、冗長電源である電圧ＤＣ１２Ｒを用いて所定の回数の電源断警報ＤＧを送信可能である。また、所定の回数の電源断警報ＤＧが送信された後、電圧ＤＣ１２Ｒの第２電源回路１４０への供給は停止する。このため、公衆交換電話網ＰＳＴＮから電源線３００を介して通信装置１００に供給される電源は、電源断警報ＤＧを送信する期間を除いて使用されない。この結果、電圧ＤＣ１２の遮断後に、電圧ＤＣ１２ｂが通信装置１００に供給され続ける場合に比べて、電源線３００に供給される電力の使用量を減らすことができる。この結果、電源線３００に供給される電力が、公衆交換電話網ＰＳＴＮに接続される機器の本来の機能以外に使用される期間を短縮でき、公衆交換電話網ＰＳＴＮの信頼性を向上できる。
【００３５】
図３（２）に示したように、本実施形態の通信装置１００は、ＡＣアダプタ２１０からの電圧ＤＣ１２の供給が遮断された場合、公衆交換電話網ＰＳＴＮからの電源電圧ＤＣ４８を冗長電源として利用して電源断警報ＤＧを送信する。このため、通信装置１００は、コンデンサ等の電荷を蓄積する素子を利用することなく、電源電圧ＤＣ１２の遮断時に、電源の遮断を示す電源断警報ＤＧを送信できる。
【００３６】
以上、図１から図３に示した実施形態では、通信装置１００は、ＡＣアダプタ２１０からの電圧ＤＣ１２の供給が遮断された場合、公衆交換電話網ＰＳＴＮからの電源電圧ＤＣ４８を冗長電源として利用して電源断警報ＤＧを送信する。このため、通信装置１００は、コンデンサ等の電荷を蓄積する素子を利用することなく、電源電圧ＤＣ１２の遮断時に、電源の遮断を示す電源断警報ＤＧを送信できる。
【００３７】
また、電源断警報ＤＧが送信された後、電圧ＤＣ１２Ｒの使用が停止されるため、公衆交換電話網ＰＳＴＮからの電源は、電源断警報ＤＧを送信すること以外に使用されない。このため、電源断警報ＤＧの送信後に電圧ＤＣ１２ｂが通信装置１００に供給され続ける場合に比べて、公衆交換電話網ＰＳＴＮの信頼性を向上できる。
【００３８】
さらに、所定の回数の電源断警報ＤＧの送信に掛かる時間をタイマＴＭの計時により判断して、電源断警報ＤＧの送信後に制御信号ＣＮＴＬをロウレベルに変化させ、電圧ＤＣ１２ｂの第２電源回路１４０への供給を停止できる。この結果、信号送受信部１７０から電源断警報ＤＧの送信が完了した通知を受けることなく、すなわち、信号送受信部１７０の回路を変更することなく、制御信号ＣＮＴＬのロウレベルへの変化タイミングを判断できる。
【００３９】
図４は、通信装置および通信装置の制御方法の別の実施形態におけるスイッチ回路１３０およびＰＯＮＬＳＩ１６０Ａの例を示す。図２と同様の構成は、図２と同一の符号を用い、詳細な説明は省略する。この実施形態では、通信装置１００Ａは、図２に示したＰＯＮＬＳＩ１６０の代わりにＰＯＮＬＳＩ１６０Ａを有する。通信装置１００Ａにおいて、ＰＯＮＬＳＩ１６０Ａを除く構成は、図２に示した通信装置１００と同様である。ＰＯＮＬＳＩ１６０Ａは、図２に示したスイッチ制御部１６８の代わりにスイッチ制御部１６８Ａを有する。ＰＯＮＬＳＩ１６０Ａにおいて、スイッチ制御部１６８Ａを除く構成は、図２に示したＰＯＮＬＳＩ１６０と同様である。
【００４０】
通知部１６６は、オフ信号ＤＣＯＦＦを受けたことに応答して、警報信号ＤＧＳを、信号送受信部１７０およびスイッチ制御部１６８Ａへ出力する。例えば、警報信号ＤＧＳは、所定の間隔を置いて３回出力される。
【００４１】
例えば、スイッチ制御部１６８Ａは、カウンタＣＯＵＮＴを有している。カウンタＣＯＵＮＴは、通知部１６６からの警報信号ＤＧＳの出力回数をカウントする。スイッチ制御部１６８Ａは、カウンタＣＯＵＮＴのカウンタ値が、警報信号ＤＧＳが３回カウントされたことを示すことに基づいて、所定時間後に制御信号ＣＮＴＬをハイレベルからロウレベルに変化させる。なお、カウンタＣＯＵＮＴが警報信号ＤＧＳを受ける前、スイッチ制御部１６８Ａは、ＰＯＮＬＳＩ１６０Ａへの電源の供給を指示する論理レベル（例えば、ハイレベル）の制御信号ＣＮＴＬを出力する。すなわち、スイッチ制御部１６８Ａは、電源断警報ＤＧが光送受信部１８０を介して端局装置５００に所定の回数送信された後に、スイッチ回路１３０に電源電圧ＤＣ１２ｂの第２電源回路１４０への出力を停止するように指示する。
【００４２】
図５は、図４に示した通信装置１００Ａの動作の例を示す。図３と同様の動作は、詳細な説明を省略する。図５は、電圧ＤＣ１２Ｒの供給が継続する状態で、電圧ＤＣ１２の供給が遮断されるときの動作の例を示している。なお、電圧ＤＣ１２、ＤＣ１２Ｒの供給が継続するときの動作は、図３（１）と同様である。
【００４３】
電圧ＤＣ１２の供給が遮断された場合、ＯＲ回路１３２は、電圧ＤＣ１２に代えて電圧ＤＣ１２Ｒを電圧ＤＣ１２ａとしてＡＮＤ回路１３４に出力する（図５（ａ）、（ｂ））。これにより、ＡＮＤ回路１３４は、電圧ＤＣ１２の遮断にかかわらず、電圧ＤＣ１２ｂの出力を維持できる（図５（ｃ））。
【００４４】
通知部１６６は、電源断警報ＤＧの送信指示を示す警報信号ＤＧＳを、例えば、３回出力する（図５（ｄ））。信号送受信部１７０は、通知部１６６からの警報信号ＤＧＳに応答して、電源断警報ＤＧを端局装置５００に３回送信する。なお、警報信号ＤＧＳの出力回数および電源断警報ＤＧの送信回数は、３回に限定されない。
【００４５】
通知部１６６による警報信号ＤＧＳの出力に応答して、カウンタＣＯＵＮＴがカウント動作する。例えば、カウンタＣＯＵＮＴのカウント値は、警報信号ＤＧＳを受ける前に、“０”に初期化されている。カウンタＣＯＵＮＴは、通知部１６６が出力する警報信号ＤＧＳの出力に応答して、カウント値を“１”ずつ更新する（図５（ｅ）、（ｆ））。すなわち、カウンタＣＯＵＮＴは、通知部１６６による警報信号ＤＧＳの出力回数をカウントする。
【００４６】
スイッチ制御部１６８Ａは、カウンタＣＯＵＮＴのカウンタ値が、警報信号ＤＧＳが３回カウントされたことを示す“３”になったことに基づいて、所定時間後に制御信号ＣＮＴＬをハイレベルＨからロウレベルＬに切り替える（図５（ｇ））。ＡＮＤ回路１３４は、制御信号ＣＮＴＬのロウレベルＬへの変化に応答して、電圧ＤＣ１２ｂの出力を停止する（図５（ｈ））。
【００４７】
第２電源回路１４０は、電圧ＤＣ１２ｂの出力の停止に基づいて、電源電圧の生成を停止する。これにより、ＰＯＮＬＳＩ１６０Ａと、ＬＡＮ／ＰＨＹ１５０と、光送受信部１８０との動作が停止する。すなわち、ＰＯＮＬＳＩ１６０Ａは、図１に示したＡＣアダプタ２１０からの電圧ＤＣ１２が遮断された後、冗長電源である電圧ＤＣ１２Ｒを用いて所定の回数の電源断警報ＤＧを送信可能である。また、所定の回数の電源断警報ＤＧが送信された後、電圧ＤＣ１２Ｒの第２電源回路１４０への供給は停止する。このため、公衆交換電話網ＰＳＴＮから電源線３００を介して通信装置１００に供給される電源は、電源断警報ＤＧを送信する期間を除いて使用されない。この結果、図１から図３に示した実施形態と同様に、電圧ＤＣ１２の遮断後に、電圧ＤＣ１２ｂが通信装置１００に供給され続ける場合に比べて、公衆交換電話網ＰＳＴＮの信頼性を向上できる。
【００４８】
以上、本実施形態では、図１から図３に示した実施形態と同様に、通信装置１００Ａは、コンデンサ等の電荷を蓄積する素子を利用することなく、電源電圧ＤＣ１２の遮断時に、電源の遮断を示す電源断警報ＤＧを送信できる。また、電源断警報ＤＧが送信された後、電圧ＤＣ１２Ｒの使用が停止されるため、電源断警報ＤＧの送信後に電圧ＤＣ１２ｂが通信装置１００に供給され続ける場合に比べて、公衆交換電話網ＰＳＴＮの信頼性を向上できる。
【００４９】
さらに、本実施形態では、電源断警報ＤＧの送信回数をカウンタＣＯＵＮＴによりカウントすることで、所定の回数の電源断警報ＤＧの送信後に制御信号ＣＮＴＬをロウレベルに変化させ、電圧ＤＣ１２ｂの第２電源回路１４０への供給を停止できる。この結果、信号送受信部１７０から電源断警報ＤＧの送信が完了した通知を受けることなく、すなわち、信号送受信部１７０の回路を変更することなく、制御信号ＣＮＴＬのロウレベルへの変化タイミングを判断できる。また、電源断警報ＤＧを送信する指示である警報信号ＤＧＳの出力回数をカウントするため、図２に示したタイマＴＭを使用する場合に比べて、制御信号ＣＮＴＬをロウレベルに変化させるタイミングを正確に判断することが可能になる。
【００５０】
図６は、通信装置および通信装置の制御方法の別の実施形態におけるスイッチ回路１３０およびＰＯＮＬＳＩ１６０Ｂの例を示す。図２と同様の構成は、図２と同一の符号を用い、詳細な説明は省略する。この実施形態では、通信装置１００Ｂは、図２に示したＰＯＮＬＳＩ１６０の代わりにＰＯＮＬＳＩ１６０Ｂを有する。通信装置１００Ｂにおいて、ＰＯＮＬＳＩ１６０Ｂを除く構成は、図２に示した通信装置１００と同様である。ＰＯＮＬＳＩ１６０Ｂは、図２に示した検知部１６４の代わりに、検知部１６４Ｂを有する。ＰＯＮＬＳＩ１６０Ｂにおいて、検知部１６４Ｂを除く構成は、図２に示したＰＯＮＬＳＩ１６０と同様である。
【００５１】
検知部１６４Ｂは、図２に示した検知部１６４の機能に加えて、第１電源回路１２０（公衆交換電話網ＰＳＴＮ）から受ける電圧ＤＣ１２Ｒを監視する機能を有している。そして、検知部１６４Ｂは、電圧ＤＣ１２または電圧ＤＣ１２Ｒが所定の電圧以下になった場合に、ＡＣアダプタ２１０からの電圧ＤＣ１２または第１電源回路１２０からの電圧ＤＣ１２Ｒが遮断されたことを示すオフ信号ＤＣＯＦＦをスイッチ制御部１６８へ出力する。
【００５２】
図７は、図６に示した通信装置１００Ｂの動作の例を示す。図３と同様の動作は、詳細な説明を省略する。図７は、電圧ＤＣ１２の供給が継続する状態で、電圧ＤＣ１２Ｒの供給が遮断されるときの動作の例を示している。なお、電圧ＤＣ１２、ＤＣ１２Ｒの供給が継続するときの動作は、図３（１）と同様であり、電圧ＤＣ１２Ｒの供給が継続する状態で、電圧ＤＣ１２の供給が遮断されるときの動作は、図３（２）と同様である。
【００５３】
電圧ＤＣ１２Ｒの供給が遮断された場合、ＯＲ回路１３２は、引き続き電圧ＤＣ１２を電圧ＤＣ１２ａとしてＡＮＤ回路１３４に出力する（図７（ａ）、（ｂ））。これにより、ＡＮＤ回路１３４は、電圧ＤＣ１２Ｒの遮断にかかわらず、電圧ＤＣ１２ｂの出力を維持できる（図７（ｃ））。
【００５４】
検知部１６４Ｂによる電圧ＤＣ１２Ｒの遮断の検知に基づいて、タイマＴＭが起動される（図７（ｄ））。また、検知部１６４による電圧ＤＣ１２Ｒの遮断の検知に基づいて、信号送受信部１７０は、電源断警報ＤＧを端局装置５００に送信する（図７（ｅ））。例えば、信号送受信部１７０は、通知部１６６からの電源断警報ＤＧの送信指示に応答して、電源断警報ＤＧを端局装置５００に３回送信する。なお、電源断警報ＤＧの送信回数は、３回に限定されない。
【００５５】
例えば、タイマＴＭは、信号送受信部１７０が３回の電源断警報ＤＧを送信するために要する時間に相当する期間を計時する。スイッチ制御部１６８Ｂは、タイマＴＭの計時後、制御信号ＣＮＴＬをハイレベルＨからロウレベルＬに切り替える（図７（ｆ））。ＡＮＤ回路１３４は、制御信号ＣＮＴＬのロウレベルＬへの変化に応答して、電圧ＤＣ１２ｂの出力を停止する（図７（ｇ））。第２電源回路１４０は、電圧ＤＣ１２ｂの出力の停止を受けて、電源電圧の生成を停止する。これにより、ＰＯＮＬＳＩ１６０Ｂと、ＬＡＮ／ＰＨＹ１５０と、光送受信部１８０との動作が停止する。すなわち、ＰＯＮＬＳＩ１６０Ｂは、図１に示した公衆交換電話網ＰＳＴＮからの冗長電源である電圧ＤＣ１２Ｒが遮断された後、ＡＣアダプタ２１０からの電圧ＤＣ１２を用いて所定の回数の電源断警報ＤＧを送信可能である。また、所定の回数の電源断警報ＤＧが送信された後、電圧ＤＣ１２の第２電源回路１４０への供給は停止する。このため、第１電源回路１２０が公衆交換電話網ＰＳＴＮからの電源電圧を受けて生成する電圧ＤＣ１２Ｒが遮断された場合、電圧ＤＣ１２の第２電源回路１４０への供給が停止される。これにより、電圧ＤＣ１２Ｒの遮断に続いて電圧ＤＣ１２が遮断される場合に、電源断警報ＤＧの送信のための電圧ＤＣ１２ｂが第２電源回路１４０に供給されない不具合が起こらないようにすることができる。
【００５６】
なお、通信装置１００Ｂは、ＰＯＮＬＳＩ１６０Ｂの代わりに図４に示したＰＯＮＬＳＩ１６０Ａを有してもよい。すなわち、通信装置１００Ｂは、タイマＴＭの代わりにカウンタＣＯＵＮＴを有し、タイマＴＭで計時される電源断警報ＤＧの送信時間に替えて、カウンタＣＯＵＮＴでカウントされる電源断警報ＤＧの送信回数を用いてスイッチ回路１３０を制御してもよい。
【００５７】
以上、本実施形態では、図１から図３に示した実施形態と同様に、通信装置１００Ｂは、コンデンサ等の電荷を蓄積する素子を利用することなく、電源電圧ＤＣ１２Ｒの遮断時に、電源の遮断を示す電源断警報ＤＧを送信できる。
【００５８】
さらに、本実施形態では、第１電源回路１２０が公衆交換電話網ＰＳＴＮからの電源電圧を受けて生成する電圧ＤＣ１２Ｒが遮断された場合、電圧ＤＣ１２の第２電源回路１４０への供給が停止される。これにより、電圧ＤＣ１２Ｒの遮断に続いて電圧ＤＣ１２が遮断される場合に、電源断警報ＤＧの送信のための電圧ＤＣ１２ｂが第２電源回路１４０に供給されない不具合が起こらないようにすることができる。
【００５９】
図８は、通信装置および通信装置の制御方法の別の例を示す。図１と同様の構成は、図１と同一の符号を用い、詳細な説明は省略する。この例では、通信装置１００Ｃは、図１示したＩ／Ｆ１１０と、第１電源回路１２０と、スイッチ回路１３０の代わりに、電源断警報用コンデンサ１９０と、電圧監視回路１９２とを有する。また、通信装置１００Ｃは、図１に示したＰＯＮＬＳＩ１６０の代わりにＰＯＮＬＳＩ１６０Ｃを有する。さらに、通信装置１００Ｃは、外部電源２００から電源の供給を受けるＡＣアダプタ２１０に接続されているが、公衆交換電話網ＰＳＴＮから冗長電源の供給を受ける電源線３００に接続されていない。なお、第２電源回路１４０、ＬＡＮ／ＰＨＹ１５０および光送受信部１８０の構成は、図２と同様である。
【００６０】
例えば、電源断警報用コンデンサ１９０は、アルミ電解コンデンサであり、外部電源２００のが遮断されたときに備え、ＡＣアダプタ２１０から入力される電力を蓄える。電源断警報用コンデンサ１９０は、電圧線ＤＣ１２を介して第２電源回路１４０および電圧監視回路１９２と接続されている。電圧監視回路１９２は、ＡＣアダプタ２１０からの電圧ＤＣ１２を監視し、所定の電圧以下になった場合に、ＰＯＮＬＳＩ１６０Ｃに電源断警報ＤＧを送信する指示を示す警報信号ＤＧＳを出力する。ＰＯＮＬＳＩ１６０Ｃは、警報信号ＤＧＳを受けた場合、光送信部１７０を介して端局装置５００に電源断警報ＤＧを送信する。
【００６１】
例えば、通信装置１００Ｃは、ＡＣアダプタから電圧ＤＣ１２を受けているときに、電源断警報用コンデンサ１９０で電力を蓄え、かつ、第２電源回路１４０を介してＰＯＮＬＳＩ１６０Ｃなどに電源電圧を供給し、動作する。
【００６２】
一方、ＡＣアダプタからの電圧ＤＣ１２の供給が遮断された場合、通信装置１００Ｃは、電源断警報用コンデンサ１９０に蓄えられた電力を利用して、所定の期間、第２電源回路１４０を介してＰＯＮＬＳＩ１６０Ｃなどに電源電圧を供給する。このとき、電源断警報用コンデンサ１９０に蓄えられた電力の減少に応じて電圧ＤＣ１２は徐々に下がっていく。電圧監視回路１９２は、電圧ＤＣ１２が、所定の電圧以下になった場合に、ＰＯＮＬＳＩ１６０Ｃに警報信号ＤＧＳを出力する。
【００６３】
ＰＯＮＬＳＩ１６０Ｃは、警報信号ＤＧＳを受けた場合、端局装置５００に所定の回数の電源断警報ＤＧを送信する。なお、電源断警報用コンデンサ１９０は、電圧ＤＣ１２の遮断後、所定の回数の電源断警報ＤＧを送信可能な電力を蓄積可能な容量値を有している。すなわち、電源断警報用コンデンサ１９０により、電源断警報ＤＧを送信するための電力は確保されている。ＰＯＮＬＳＩ１６０Ｃからの電源断警報ＤＧの送信後、電源断警報用コンデンサ１９０に蓄えられた電力の減少に応じて電圧ＤＣ１２はさらに低下する。そして、ＰＯＮＬＳＩ１６０Ｃへの電圧の供給が停止することで、通信装置１００Ｃは動作を停止する。
【００６４】
しかしながら、アルミ電解コンデンサ等の電源断警報用コンデンサ１９０は、スイッチなどの電子部品やトランジスタ等の素子に比べて寿命が短く、信頼性が低い。電源断警報用コンデンサ１９０が故障した場合、電力を蓄えることが出来ず、通信装置１００Ｃは、電圧ＤＣ１２の遮断時に電源断警報ＤＧを送信するための電力を確保できないというおそれがある。また、アルミ電解コンデンサ等の電源断警報用コンデンサ１９０は、スイッチなどの電子部品に比べてプリント基板上での高さが大きい。このため、電源断警報用コンデンサ１９０を搭載したプリント基板を有する通信装置１００Ｃは、小型化をし難いという問題がある。
【００６５】
これに対して、図１から図７に示した実施形態で使用するプリント基板は、電源断警報用コンデンサ１９０を搭載したプリント基板に比べて、高さを小さくできる。すなわち、図１から図７に示した実施形態では、小型の通信装置１００（または、１００Ａ、１００Ｂ）を用いて、電圧ＤＣ１２の遮断時に電源断警報ＤＧを送信できる。
【００６６】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６７】
１００、１００Ａ、１００Ｂ、１００Ｃ…通信装置（ＯＮＵ）；１１０…インターフェース部（Ｉ／Ｆ）；１２０…第１電源回路；１３０…スイッチ回路；１３２…ＯＲ回路；１３４…ＡＮＤ回路；１４０…第２電源回路；１５０…端末制御部（ＬＡＮ／ＰＨＹ）；１６０、１６０Ａ、１６０Ｂ、１６０Ｃ…通信制御部（ＰＯＮＬＳＩ）；１６２…電源部；１６４、１６４Ｂ…検知部；１６６…通知部；１６８、１６８Ａ、１６８Ｂ…スイッチ制御部；１７０…信号送受信部；１８０…光送受信部；１９０…電源断警報用コンデンサ；１９２…電圧監視回路；２００…外部電源；２１０…ＡＣアダプタ；３００…電源線；４００…加入者端末；５００…端局装置（ＯＬＴ）；ＰＳＴＮ…公衆交換電話網；ＬＣ…ＬＡＮケーブル；ＯＰＴ…光ファイバ；ＤＣ１２、ＤＣ１２Ｒ、ＤＣ１２ａ、ＤＣ１２ｂ、ＤＣ４８…（電源）電圧、電圧線；ＣＮＴＬ…制御信号；ＤＧ…電源断警報；ＤＣＯＦＦ、ＤＣＲＯＦＦ…オフ信号；ＤＧＳ…警報信号；ＴＭ…タイマ；ＣＯＵＮＴ…カウンタ；Ｈ…ハイレベル；Ｌ…ロウレベル
【図１】
2014183374.tif 000003
【図２】
2014183374.tif 000004
【図３】
2014183374.tif 000005
【図４】
2014183374.tif 000006
【図５】
2014183374.tif 000007
【図６】
2014183374.tif 000008
【図７】
2014183374.tif 000009
【図８】
2014183374.tif 000010